(57)【要約】 【課題】  木質系バイオマスを燃焼して発生する熱エネルギーを有効に利用する。木材を極めて経済的に乾燥する。木材を理想的な温度と湿度に制御しながら乾燥する。【解決手段】  木質系バイオマスの発生熱利用方法は、木質系バイオマスを燃焼炉１で燃焼し、燃焼する熱エネルギーで水を加熱して蒸気と温水とし、さらに空気を加熱して温風とし、得られた蒸気と温風を閉鎖された木材乾燥室１４に供給して、木材乾燥室１４に収納している木材Ｗを乾燥する。さらに、木材乾燥室１４に燃焼炉１で加熱された温水を供給して、湿度を調整しながら木材Ｗを乾燥する。【選択図】  図１
2005180746.tif 000002
【特許請求の範囲】
【請求項１】
木質系バイオマスを燃焼炉(1)で燃焼し、燃焼する熱エネルギーで水を加熱して蒸気と温水とし、さらに空気を加熱して温風とし、得られた蒸気と温風を閉鎖された木材乾燥室(14)に供給して、木材乾燥室(14)に収納している木材(W)を乾燥し、さらに、木材乾燥室(14)に燃焼炉(1)で加熱された温水を供給して、湿度を調整しながら木材(W)を乾燥する木質系バイオマスの発生熱利用方法。
【請求項２】
木質系バイオマスを燃焼炉(1)で燃焼し、燃焼する熱エネルギーで水を加熱して温水とし、さらに空気を加熱して炭酸ガスを含む排気ガスとし、得られた温水を温室(26)に設けている放熱用熱交換器(27)に循環させて温室(26)の空気を加温し、排気ガスを供給して温室(26)の空気を加温すると共に、炭酸ガスを供給して、温室(26)の植物(S)を加温すると共に、炭酸ガスを供給しながら栽培する木質系バイオマスの発生熱利用方法。
【請求項３】
木質系バイオマスとして、森林地廃材、工場廃材、住宅解体廃材、パレット・梱包材の廃材、せん定枝条等の廃材、食品加工の廃材、プレーナー屑、種々の廃材の混合物、ＭＤＦやパーティクルボード等の廃材を粉砕した屑、木片や皮を破砕した屑のいずれか、あるいはこれ等の混合物を使用する請求項１または２に記載される木質系バイオマスの発生熱利用方法。
【請求項４】
木質系バイオマスに、食品廃材を混合したものを使用する請求項１または２に記載される木質系バイオマスの発生熱利用方法。
【請求項５】
燃焼ガスでガスタービン発電機(12)を駆動して発電し、発電した電力で温室(26)の光源(29)を点灯する請求項２に記載される木質系バイオマスの発生熱利用方法。
【請求項６】
燃焼ガスでガスタービン発電機(12)を駆動して発電し、発電した電力で木材乾燥室(14)の光源(29)を点灯する請求項１に記載される木質系バイオマスの発生熱利用方法。
【請求項７】
燃焼炉(1)で発生される蒸気または温風を、木材薫蒸室(30)に供給し、木材薫蒸室(30)に収納している木材(W)を薫蒸する請求項１に記載される木質系バイオマスの発生熱利用方法。
【発明の詳細な説明】
【技術分野】
【０００１】
本発明は、木質系バイオマスを燃焼し、発生する熱エネルギーを有効利用して木材を乾燥し、あるいは植物を生育させる温室を加温する処理方法に関する。
【背景技術】
【０００２】
木材は、加工する工程で多量の廃材が発生する。木材の廃材は、木材を削って発生するプレーナー屑、種々の廃材の混合物、ＭＤＦやパーティクルボード等の廃材を粉砕した屑、木片や皮を破砕した屑等が多量に発生する。これ等の木質系バイオマスは、焼却して廃棄しているのが実状で、焼却して廃棄するときに発生する熱エネルギーは有効に利用されていない。
【０００３】
一方、天然の木材は、金属やプラスチックでは得られない自然木に独特の美しさと風合いはあるが、未乾燥な状態で使用すると、時間が経過するにしたがって、変形して狂いが発生し、あるいは収縮して隙間ができる等の欠点がある。この欠点は、木材を充分に乾燥して少なくできる。しかしながら、木材を充分に乾燥するには、長期間にわたって放置するか、あるいは加熱して水分を強制的に除去する必要がある。強制的に水分を除去する方法は、短時間で乾燥できるが、多量の熱エネルギーを消費するので、ランニングコストが高くなる欠点がある。
【０００４】
木材乾燥のランニングコストを低減することを目的として、木質系バイオマスを燃焼させるときに発生する熱エネルギーを有効利用する乾燥方法が開発されている。（特許文献１参照）
【０００５】
この公報には、耐火室の床部に炉、室内中央部に生木の桟積部、室内の適宜箇所に設置した対流送風装置、および室内と木材中心部に配置した温度センサーを有し、炉内に、木屑、解体材あるいは木片等の廃材を燃焼材として入れ、その表面を、プレーナー屑、カンナ屑、樹皮あるいは古紙等の廃材で着火材としてカバーし、そして炉のフタをし、着火後は、排気ダクト等の空気調整により、炉内を不完全燃焼させ、また室温を７５〜８０℃の範囲に調整し、煙および熱風を対流送風装置にて循環させて乾燥対象木材および外気温度に応じ約３〜５日間低温燻煙乾燥し、室内温度と外気温度および木材の中心部温度差が８℃以内になるまで放置する工程からなる木材の燻煙乾燥方法が記載される。
【特許文献１】特開平９−２２９５５５号公報
【発明の開示】
【発明が解決しようとする課題】
【０００６】
この公報に記載される乾燥方法は、木質系バイオマスの熱エネルギーを有効利用して乾燥するので、燃料コストを安くできる特長がある。しかしながら、この方法は木材を理想的な環境で充分に乾燥するのが極めて難しい。とくに、木材を乾燥する外的な環境である、温度と湿度の両方を理想的な環境に制御するのが極めて難しい。また、木質系バイオマスを不完全燃焼させるので、排気ガスを綺麗にするのも難しい。とくに、燃焼させるとダイオキシン等の有害物質を発生させる物質が含まれる場合、排気ガスに含まれる有害物質を高温で焼却して消失できない欠点もある。さらにまた、種々の木質系バイオマスを特定な状態で燃焼材として収納する必要があるので、木質系バイオマスを入れるのが極めて難しく、またその入れる量の制御も難しい。
【０００７】
さらにまた、以上の公報に記載される方法は、木質系バイオマスを燃焼するときに発生する熱エネルギーを木材の乾燥にのみ使用するので、その他の用途に有効利用できない。
【０００８】
本発明は、このような欠点を解決することを目的に開発されたものである。本発明の重要な目的は、木質系バイオマスを燃焼して発生する熱エネルギーを有効に利用して、木材を極めて経済的に乾燥できることに加えて、木材を理想的な温度と湿度に制御しながら乾燥できる木質系バイオマスの発生熱利用方法を提供することにある。
【０００９】
また、本発明の他の大切な目的は、木質系バイオマスを燃焼するときに発生する熱エネルギーを有効利用して植物を栽培する温室を理想的な環境に加温できる木質系バイオマスの発生熱利用方法を提供することにある。
【課題を解決するための手段】
【００１０】
本発明の請求項１に記載される木質系バイオマスの発生熱利用方法は、木質系バイオマスを燃焼炉１で燃焼し、燃焼する熱エネルギーで水を加熱して蒸気と温水とし、さらに空気を加熱して温風とし、得られた蒸気と温風を閉鎖された木材乾燥室１４に供給して、木材乾燥室１４に収納している木材Ｗを乾燥する。さらに、木材乾燥室１４に燃焼炉１で加熱された温水を供給して、湿度を調整しながら木材Ｗを乾燥する。
【００１１】
本発明の請求項２に記載される木質系バイオマスの発生熱利用方法は、木質系バイオマスを燃焼炉１で燃焼し、燃焼する熱エネルギーで水を加熱して温水とし、さらに空気を加熱して炭酸ガスを含む排気ガスとし、得られた温水を温室２６に設けている放熱用熱交換器２７に循環させて温室２６の空気を加温し、排気ガスを供給して温室２６の空気を加温すると共に、炭酸ガスを供給する。この方法は、温室２６の植物Ｓを加温すると共に、炭酸ガスを供給しながら栽培する。
【００１２】
本発明の請求項３に記載される発生熱利用方法は、木質系バイオマスとして、森林地廃材、工場廃材、住宅解体廃材、パレット・梱包材の廃材、せん定枝条等の廃材、食品加工の廃材、プレーナー屑、種々の廃材の混合物、ＭＤＦやパーティクルボード等の廃材を粉砕した屑、木片や皮を破砕した屑のいずれか、あるいはこれ等の混合物を使用する。さらに、本発明の請求項４に記載される発生熱利用方法は、木質系バイオマスに、食品廃材を混合したものを使用する。
【００１３】
さらに、本発明の請求項５に記載される発生熱利用方法は、請求項２に記載される発生熱利用方法であって、燃焼ガスでガスタービン発電機１２を駆動して発電し、発電した電力で温室２６の光源２９を点灯する。
【００１４】
さらに、本発明の請求項６に記載される発生熱利用方法は、請求項１に記載される発生熱利用方法であって、燃焼ガスでガスタービン発電機１２を駆動して発電し、発電した電力で木材乾燥室１４の光源２９を点灯する。
【００１５】
さらに、本発明の請求項７に記載される発生熱利用方法は、燃焼炉１で発生される蒸気または温風を、木材薫蒸室３０に供給して、木材薫蒸室３０に収納している木材Ｗを薫蒸する。
【発明の効果】
【００１６】
本発明の請求項１の木質系バイオマスの発生熱利用方法は、木質系バイオマスを燃焼して発生する熱エネルギーを有効に利用して、木材を極めて経済的に乾燥できる特長がある。とくに、本発明の発生熱利用方法は、木材を理想的な温度と湿度に制御しながら乾燥できる特長がある。それは、本発明の発生熱利用方法が、木質系バイオマスを燃焼する熱エネルギーを有効利用して水と空気を加熱し、得られた蒸気と温風を木材乾燥室に供給して木材を乾燥すると共に、加熱された温水を木材乾燥室に供給して、湿度を調整しながら木材を乾燥するからである。このように、本発明の発生熱利用方法は、温風と温水を活用しながら乾燥温度と湿度を調整するので、極めて理想的に木材乾燥でき、従来の蒸気式の木材乾燥の１／３〜１／６と超低コストの木材乾燥が可能である。
【００１７】
本発明の請求項２の木質系バイオマスの発生熱利用方法は、木質系バイオマスを燃焼するときに発生する熱エネルギーを有効利用して植物を栽培する温室を理想的な環境に加温できる特長がある。とくに、この方法は、木質系バイオマスを燃焼炉で燃焼して、燃焼する熱エネルギーで空気を加熱して炭酸ガスを含む排気ガスとして温室に炭酸ガスを供給するので、温室を加温することに加えて、植物に炭酸ガスを供給しながら栽培できる。
【００１８】
さらに、本発明の請求項５に記載される発生熱利用方法は、木質系バイオマスを燃焼するときに発生する燃焼ガスでガスタービン発電機を駆動して発電し、発電した電力で温室の光源を点灯するので、外部から電力を供給することなく光源を点灯できる。
【００１９】
さらに、本発明の請求項６に記載される発生熱利用方法は、木質系バイオマスを燃焼するときに発生する燃焼ガスでガスタービン発電機を駆動して発電し、発電した電力で木材乾燥室の光源を点灯するので、外部から電力を供給することなく光源を点灯できる。
【００２０】
さらにまた、本発明の請求項７に記載される発生熱利用方法は、燃焼炉で発生する蒸気または温風を木材薫蒸室に供給し、木材薫蒸室に収納している木材を薫蒸するので、木質系バイオマスを燃焼して発生する熱エネルギーを有効に利用して、木材を極めて経済的に薫蒸できる特長がある。
【発明を実施するための最良の形態】
【００２１】
以下、本発明の実施例を図面に基づいて説明する。ただし、以下に示す実施例は、本発明の技術思想を具体化するための木質系バイオマスの発生熱利用方法を例示するものであって、本発明は木質系バイオマスの発生熱利用方法を下記のものに特定しない。
【００２２】
さらに、この明細書は、特許請求の範囲を理解し易いように、実施例に示される部材に対応する番号を、「特許請求の範囲」、および「課題を解決するための手段」に示される部材に付記している。ただ、特許請求の範囲に示される部材を、実施例の部材に特定するものでは決してない。
【００２３】
図１は、木質系バイオマスを燃焼して木材Ｗを乾燥する装置を示す。この図に示す木材の乾燥装置は、木質系バイオマスを燃焼する燃焼炉１と、木材Ｗを収納して乾燥する閉鎖構造の木材乾燥室１４を有する乾燥機１３と、木材Ｗを収納して薫蒸する閉鎖構造の木材薫蒸室３０を有する薫蒸機３１とを備える。
【００２４】
燃焼炉１は、木質系バイオマスを供給して燃焼させる燃焼室２と、燃焼室２に連結している排気路３に設けられて、燃焼の熱エネルギーで水を加熱して蒸気とする蒸気用熱交換器４と、水を加熱して温水とする及び温水用熱交換器５とを備える。
【００２５】
図の燃焼炉１は、木質系バイオマスを燃焼室２に連続して供給するスクリューフィーダ６を備える。スクリューフィーダ６は、木質系バイオマスの供給ホッパー７の底部に連結され、供給ホッパー７に供給される木質系バイオマスを連続して燃焼室２に供給する。供給ホッパー７には、プレーナー屑、種々の廃材の混合物、ＭＤＦやパーティクルボード等の廃材を粉砕した屑、木片や皮を破砕した屑等を単独で、あるいはこれ等を混合したものを木質系バイオマスとして供給する。さらに、供給ホッパー７には、おから等の食品廃材を混合したものを木質系バイオマスとして供給することもできる。食品廃材は水分率が高いので、混合比率を調整して、燃焼炉１で充分に燃焼できるようにする。
【００２６】
図の燃焼炉１は、燃焼室２を円筒ドラム８の内側に設けている。円筒ドラム８は、円筒の一方の中心部分にスクリューフィーダ６を連結し、円筒の他端（図において右端を）を排気路３に連結している。内部を燃焼室２とする円筒ドラム８は、回転軸を水平ないし多少傾斜する姿勢として、図の矢印で示すように、回転できるようにローラー９で支持している。ローラー９はモーター（図示せず）で駆動されて、ゆっくりと回転されて、燃焼室２の円筒ドラム８を回転させる。燃焼室２を回転させる燃焼室２は、供給される木質系バイオマスを撹拌しながら完全に燃焼できる特長がある。
【００２７】
円筒ドラム８は、図において右側である排出側を、先端に向かって次第に細くなるテーパー状として、供給される木質系バイオマスが燃焼されないで排気路３に排出されるのを防止している。さらに、図の燃焼炉１は、排気路３から燃焼室２に向かって、木質系バイオマスを強制的に燃焼させるバーナー１０を設けている。このバーナー１０は、木質系バイオマスを燃焼させる最初に点火され、あるいは水分率の高い木質系バイオマスを燃焼させるときに点火される。木質系バイオマスが自燃できるとき、バーナー１０は点火されない。
【００２８】
円筒ドラム８は、その一端を、燃焼ガスが漏れないように、しかも回転できるように排気路３に接近させて連結している。図の燃焼炉１は、排気路３に排気ブロアー１１を連結している。この構造は、燃焼室２と排気路３が負圧になるので、円筒ドラム８と排気路３との間から燃焼ガスが漏れるのを防止できる。
【００２９】
蒸気用熱交換器４と温水用熱交換器５は、排気路３に設けている。蒸気用熱交換器４は供給される水を加熱して蒸気として排出し、温水用熱交換器５は供給される水を加熱して温水として排出する。蒸気用熱交換器４は燃焼室２に近い側に配設し、温水用熱交換器５は蒸気用熱交換器４よりも燃焼室２から遠い側に配設している。
【００３０】
さらに、排気路３は、蒸気用熱交換器４と温水用熱交換器５を加温した排気ガスで発電するために、ガスタービン発電機１２を連結している。ガスタービン発電機１２は、排気ガスでタービンを回転し、このタービンで発電機を回転させて発電する。図は、蒸気用熱交換器４と温水用熱交換器５を加熱した後の排気ガスでガスタービン発電機１２を回転させるが、排気路を分岐し、分岐路の一方にガスタービン発電機を連結して、他方の分岐路に蒸気用熱交換器と温水用熱交換器を連結することもできる。分岐路にガスタービン発電機を連結する構造は、ガスタービン発電機の出力を大きくできる。
【００３１】
乾燥機１３は、内部に閉鎖構造の乾燥室１４を設けているケース１５と、このケース１５の乾燥室１４内の空気を強制的に循環させて全ての木材Ｗを均一に乾燥する循環ファン１６と、乾燥室１４に水蒸気を噴射して乾燥室１４を加熱する蒸気ノズル１７と、乾燥室１４に排気ガスを供給して加熱する温風ダクト１８と、乾燥室１４に温水を噴射して湿度を調整する温水ノズル１９と、乾燥室１４の温度を検出する温度センサー２０と、湿度を検出する湿度センサー２１と、温度センサー２０と湿度センサー２１の信号を演算して、蒸気ノズル１７に接続している調整弁２２と温水ノズル１９に接続している調整弁２３を制御する制御機２４とを備える。
【００３２】
木材Ｗは、乾燥室１４の内部に、周囲に空気を循環できるように、乾燥室１４の内面との間に隙間を設けて収納される。さらに、図示しないが、木材Ｗは、桟木を挟んで、互いに隙間ができるように積層される。
【００３３】
ケース１５は断熱され、木材Ｗを出し入れする開口部に開閉扉（図示せず）を設けて、閉鎖できる構造としている。ケース１５は、排気口（図示せず）を設けており、この排気口から所定量の空気を排気している。排気口は、つねに一定の空気を排気し、あるいは制御機２４で排気する空気量を調整する。
【００３４】
循環ファン１６は、乾燥室１４の天井部分であって木材Ｗと天板との間に配置される。ただし、循環ファンは、乾燥室の床部分に、あるいは側壁部分に設けることもできる。図の循環ファン１６は、空気を強制的の水平方向に送風して、乾燥室１４の内部で循環させる。循環ファン１６は常時運転されて、乾燥室１４の内部空気の温度と湿度を均一にする。
【００３５】
蒸気ノズル１７は、燃焼炉１の蒸気用熱交換器４に調整弁２２を介して連結される。蒸気ノズル１７は、噴射する蒸気量を調整して、乾燥室１４の温度を設定温度に制御する。蒸気の噴射量は、これに接続している調整弁２２の開度を制御機２４で制御して調整される。制御機２４は、室内空気を温度センサー２０で検出し、乾燥室１４の温度が設定温度よりも低くなると、調整弁２２を開いて蒸気を噴射し、あるいは調整弁２２の開度を大きくして蒸気の噴射量を多くし、反対に温度が設定温度よりも高くなると、調整弁２２を閉じて蒸気の噴射を停止し、あるいは調整弁２２の開度を小さくして蒸気の噴射量を少なくする。
【００３６】
温風ダクト１８は、燃焼炉１の排気路３に連結されて、燃焼炉１の排気ガスの一部あるいは全体を乾燥室１４に供給して、排気ガスで乾燥室１４を加温する。温風ダクト１８に調整弁２５を接続し、この調整弁２５の開度を制御機２４で制御して、排気ガスの供給量を乾燥室１４の温度で制御することもできる。温風ダクト１８で排気ガスを乾燥室１４に供給する乾燥装置は、燃焼炉１の熱エネルギーをより有効に利用して乾燥室１４を加温できる。ただし、排気ガスは、必ずしも乾燥室に供給する必要はない。
【００３７】
温水ノズル１９は、調整弁２３を介して燃焼炉１の温水用熱交換器５に連結され、乾燥室１４に温水を噴霧して乾燥室１４の湿度を調整する。乾燥室１４の湿度が低すぎると、木材Ｗの乾燥時間は短くなるが、木材Ｗの割れや狂いが大きくなる。この弊害を避けるために、乾燥室１４の湿度が設定湿度よりも低くなると、温水ノズル１９から温水を噴射して、乾燥室１４の湿度を高くする。温水ノズル１９の温水噴射量は、これに制御している調整弁２３の開度を制御機２４で制御して調整される。
【００３８】
制御機２４は、温度センサー２０と湿度センサー２１から入力される信号で、乾燥室１４の温度と湿度とを検出して、温度を設定温度とし、かつ湿度を設定湿度とするように、調整弁２２、２３、２５の開度を制御する。制御機２４は、乾燥室１４内の温度が、４０℃〜９０℃の設定温度となるように制御する。設定温度は、時間が経過して木材の乾燥が進と、次第に高くするのがよい。設定温度は、４０℃〜１２０℃の範囲とすることができる。図の乾燥装置は、蒸気ノズル１７と温水ノズル１９と温風ダクト１８に連結している調整弁２２、２３、２５を制御機２４で制御して、乾燥室１４の温度と湿度を設定範囲に制御する。制御機は、排気口から排気する空気量を制御して、乾燥室の温度と湿度を制御することもできる。この場合、乾燥室の温度が高くなると排気する空気量を多くし、また、湿度が高くなっても排気する空気量を多くするように制御機が排気量を制御する。
【００３９】
以上の乾燥装置は、木質系バイオマスを燃焼炉１で燃焼し、燃焼する熱エネルギーで水を加熱して蒸気と温水とし、さらに空気を加熱して温風とし、得られた蒸気と温風を閉鎖された木材乾燥室１４に供給して、木材乾燥室１４に収納している木材Ｗを乾燥し、さらに、木材乾燥室１４に燃焼炉１で加熱された温水を供給して、湿度を調整しながら木材Ｗを乾燥する。
【００４０】
ガスタービン発電機１２で発電した電力は、木材乾燥室１４の光源２９を点灯する。さらにガスタービン発電機１２の発電電力で、循環ファン１６を運転し、また、制御機２４に電力を供給する。この木材を乾燥する装置は、外部から電力を供給しないで運転できる特長がある。
【００４１】
薫蒸機３１は、内部に閉鎖構造の薫蒸室３０を設けているケース３２と、このケース３２の内部の空気を強制的に循環させて全ての木材Ｗを均一に薫蒸する循環ファン３３と、薫蒸室３０に水蒸気を噴射して薫蒸室３０を加熱する蒸気ノズル３４と、薫蒸室３０に排気ガスを供給して加熱する温風ダクト３５と、薫蒸室３０の温度を検出する温度センサー３７と、温度センサー３７の信号を演算して、蒸気ノズル３４に接続している調整弁３９と、温風ダクト３５に接続している調整弁４１を制御する制御機４０とを備える。
【００４２】
木材Ｗは、薫蒸室３０の内部に、周囲に空気を循環できるように、薫蒸室３０の内面との間に隙間を設けて収納される。さらに、図示しないが、木材Ｗは、枕木を挟んで、互いに隙間ができるように積層される。
【００４３】
ケース３２は断熱され、木材Ｗを出し入れする開口部に開閉扉（図示せず）を設けて、閉鎖できる構造としている。ケース３２は、排気口（図示せず）を設けており、この排気口から所定量の空気を排気している。排気口は、つねに一定の空気を排気し、あるいは制御機４０で排気する空気量を調整する。
【００４４】
循環ファン３３は、薫蒸室３０の天井部分であって木材Ｗと天板との間に配置される。ただし、循環ファンは、薫蒸室の床部分に、あるいは側壁部分に設けることもできる。図の循環ファン３３は、空気を強制的の水平方向に送風して、薫蒸室３０の内部で循環させる。循環ファン３３は常時運転されて、薫蒸室３０の内部空気の温度と湿度を均一にする。
【００４５】
蒸気ノズル３４は、燃焼炉１の蒸気用熱交換器３６に調整弁３９を介して連結される。蒸気ノズル３４は、噴射する蒸気量を調整して、薫蒸室３０の温度を設定温度に制御する。蒸気の噴射量は、これに接続している調整弁３９の開度を制御機４０で制御して調整される。制御機４０は、室内空気を温度センサー３７で検出し、薫蒸室３０の温度が設定温度よりも低くなると、調整弁３９を開いて蒸気を噴射し、あるいは調整弁３９の開度を大きくして蒸気の噴射量を多くし、反対に温度が設定温度よりも高くなると、調整弁３９を閉じて蒸気の噴射を停止し、あるいは調整弁３９の開度を小さくして蒸気の噴射量を少なくする。
【００４６】
温風ダクト３５は、燃焼炉１の排気路３に連結されて、燃焼炉１の排気ガスの一部あるいは全体を薫蒸室３０に供給して、排気ガスで薫蒸室３０を加温する。温風ダクト３５に調整弁４１を接続し、この調整弁４１の開度を制御機４０で制御して、排気ガスの供給量を薫蒸室３０の温度で制御することもできる。温風ダクト３５で排気ガスを薫蒸室３０に供給する薫蒸装置は、燃焼炉１の熱エネルギーをより有効に利用して薫蒸室３０を加温できる。ただし、排気ガスは、必ずしも薫蒸室に供給する必要はない。薫蒸室３０は、設定温度は７０℃として、５時間で木材を殺虫する。ただし、薫蒸室３０の設定温度は、６０〜８０℃とすることもできる。設定温度が高くなると短時間で薫蒸でき、低くなると薫蒸する時間を長くする。
【００４７】
さらに、薫蒸機３１は、ガスタービン発電機１２で発電した電力で、光源４３を点灯すると共に、循環ファン３３を運転する。この薫蒸機３１も、外部から電力を供給しないで運転できる特長がある。
【００４８】
図２は、木質系バイオマスを燃焼して温室２６を加温する装置を示す。この図に示す温室２６の加温システムは、木質系バイオマスを燃焼する燃焼炉１と、植物Ｓを栽培している閉鎖構造の温室２６とからなる。燃焼炉１は、蒸気用熱交換器を装備しない以外、図１に示すものと同じものが使用できる。
【００４９】
温室２６は、内部を閉鎖構造として植物Ｓを栽培している。温室２６の内部には、室内空気を加温する放熱用熱交換器２７と、この放熱用熱交換器２７に強制的に空気を送風して温室２６内の空気を加温する循環ファン１６と、温室２６に排気ガスを供給して加熱する温風ダクト１８と、温室２６の温度を検出する温度センサー２０と、温度センサー２０の信号を演算して、循環ファン１６の運転を制御すると共に、温風ダクト１８に接続している調整弁２５を制御する制御機２４とを備える。
【００５０】
温室２６は、太陽光線を透過させる塩化ビニルシートやポリエチレンシート等のプラスチックシートを骨組に張設し、あるいは骨組にガラスを固定して、内部を閉鎖構造としたもので、図に示すように地面に畝を設けて植物Ｓを栽培し、あるいは図示しないが、地面から離して栽培床を設置して、この栽培床で植物を栽培する。温室２６は、温度が高くなるとき、室内空気を強制的に排気するファン付きの排気口（図示せず）を設けており、温度が高くなるとこの排気口から空気を強制的に排気する。
【００５１】
放熱用熱交換器２７は、温室２６の天井付近に設けられて、循環ポンプ２８を介して燃焼炉１の温水用熱交換器５に連結される。循環ポンプ２８は、温水用熱交換器５と放熱用熱交換器２７に温水を循環させて、放熱用熱交換器２７を加温する。循環ポンプ２８は連続して運転される。
【００５２】
循環ファン１６は、放熱用熱交換器２７に空気を通過させるように、温室２６の天井部分に設けた放熱用熱交換器２７の背面に配置される。放熱用熱交換器は、温室の床部分に、あるいは側壁部分に設けることもできるので、この近傍に循環ファンを設けることもできる。図の循環ファン１６は、空気を強制的に水平方向に送風して、温室２６の空気を放熱用熱交換器２７で加温しながら内部に循環させる。循環ファン１６の運転は制御機２４に制御され、室内空気が設定温度よりも低くなると運転されて室内空気を加温する。
【００５３】
温風ダクト１８は、燃焼炉１の排気ガスの一部あるいは全体を温室２６に供給して、排気ガスで温室２６を加温すると共に、温室２６に炭酸ガスを供給する。温風ダクト１８に調整弁２５を接続し、この調整弁２５の開度を制御機２４で制御して、排気ガスの供給量を温室２６の温度で制御する。
【００５４】
制御機２４は、温度センサー２０から入力される信号で、温室２６の温度を検出して、温度を設定温度とするように、循環ファン１６の運転と調整弁２５の開度を制御する。図の乾燥装置、制御機２４で循環ファン１６の運転と、温風ダクト１８に連結している調整弁２５を制御して、温室２６の温度を設定範囲に制御する。制御温度は、栽培する植物の種類、季節、時間により一定ではないが、１５〜３５℃とする。制御機は、排気口から排気する空気量を制御して、温室の温度を制御することもできる。この場合、温室の温度が高くなると排気する空気量を多くし、また、湿度が高くなっても排気する空気量を多くするように制御機が排気量を制御する。
【００５５】
以上の温室システムは、木質系バイオマスを燃焼炉１で燃焼し、燃焼する熱エネルギーで水を加熱して温水とし、さらに空気を加熱して炭酸ガスを含む排気ガスとし、得られた温水を温室２６に設けている放熱用熱交換器２７に循環させて温室２６の空気を加温し、排気ガスを供給して温室２６の空気を加温すると共に、炭酸ガスを供給して、温室２６の植物Ｓを加温すると共に、炭酸ガスを供給しながら植物Ｓを栽培する。
【００５６】
さらに、燃焼炉１に設けているガスタービン発電機１２で発電し、発電した電力で温室２６の光源２９を点灯する。さらにガスタービン発電機１２の発電電力で、循環ファン１６と循環ポンプ２８を駆動することもできる。この温室システムは、外部から電力を供給しないで運転できる特長がある。
【図面の簡単な説明】
【００５７】
【図１】本発明の一実施例にかかる木質系バイオマスの発生熱利用方法に使用する装置であって、木質系バイオマスを燃焼して木材を乾燥する装置を示す概略構成図である。
【図２】本発明の他の実施例にかかる木質系バイオマスの発生熱利用方法に使用する装置であって、木質系バイオマスを燃焼して温室を加温する装置を示す概略構成図である。
【符号の説明】
【００５８】
１…燃焼炉
２…燃焼室
３…排気路
４…蒸気用熱交換器
５…温水用熱交換器
６…スクリューフィーダ
７…供給ホッパー
８…円筒ドラム
９…ローラー
１０…バーナー
１１…排気ブロアー
１２…ガスタービン発電機
１３…乾燥機
１４…乾燥室
１５…ケース
１６…循環ファン
１７…蒸気ノズル
１８…温風ダクト
１９…温水ノズル
２０…温度センサー
２１…湿度センサー
２２…調整弁
２３…調整弁
２４…制御機
２５…調整弁
２６…温室
２７…放熱用熱交換器
２８…循環ポンプ
２９…光源
３０…薫蒸室
３１…薫蒸機
３２…ケース
３３…循環ファン
３４…蒸気ノズル
３５…温風ダクト
３６…蒸気用熱交換器
３７…温度センサー
３９…調整弁
４０…制御機
４１…調整弁
４２…光源
Ｗ…木材
Ｓ…植物
【図１】
2005180746.tif 000003
【図２】
2005180746.tif 000004